(57)【要約】【課題】  電源がないところで電力を得ること。【解決手段】  人体等の熱を利用して作動せしめること。【選択図】        図１
2014176178.tif 000002
【特許請求の範囲】
【請求項１】
人体等の生物の熱を利用して発電せしめることを特徴とする人等生物エネルギ装置。
【発明の詳細な説明】
【技術分野】
【０００１】
本発明は人等生物が発生する熱を基に各種の作用動作を行わせる人等生物熱エネルギ装置に関する。
【背景技術】
【０００２】
電源がないところで電気が必要なことが多くある。人等の生物は熱を発生している。従来のこの熱装置しては、体温計があるだけで、他の用途に用いられることはなかった。この発生する熱に着目してこれをエネルギ化しようというのが本願発明で、人体から発生する熱を基に各種の動作を行わせる装置について説明する。
【発明の概要】
【発明が解決しようとする課題】
【０００３】
電源がないところで電気が必要なケースが多い。また、電源があってもと中で電力がなくなったり、弱くなったりする。本発明では、人体など生物から発生する熱を利用して電力をつくり、各種の機能を実現させることができる人等生物熱エネルギ装置を提供することを目的としている。
【課題を解決するための手段】
【０００４】
前記した課題を解決する本発明は、人体等の熱を利用して作動せしめることを特徴とする。
【発明の効果】
【０００５】
電源がないところで電気が必要なケースが多い。また、電源があってもと中で電力がなくなったり、弱くなったりする。  本発明によれば、人体からエネルギが得られるので、人工心臓やペースメーカなど従来電池交換が困難なものを動かすことができたり、寿命の短いものの電源を連続して供給できたり、移動可能な人体電通治療が行える等、従来行えなかったことができる画期的効果がある。
【図面の簡単な説明】
【０００６】
【図１】本発明の実施例1を示す図
【図２】本発明の実施例2を示す図
【図３】本発明の実施例3を示す図
【図４】本発明の実施例4を示す図
【図５】本発明の実施例5を示す図
【図６】本発明の実施例６を示す図
【図７】本発明の実施例７を示す図
【図８】本発明の実施例８を示す図
【図９】本発明の実施例９を示す図
【図１０】本発明の実施例１０を示す図
【図１１】本発明の実施例１１を示す図
【図１２】本発明の実施例１２を示す図
【図１３】本発明の実施例１３を示す図
【図１４】本発明の実施例１４を示す図
【図１５】本発明の実施例１５を示す図
【図１６】本発明の実施例１６を示す図
【図１７】本発明の実施例１７を示す平面図
【図１８】同上横断面図（本発明の実施例１８）
【図１９】本発明の実施例１９の平面図
【図２０】同上横断面図（本発明の実施例２０）
【図２１】本発明の実施例２１を示す図
【図２２】本発明の実施例２２の横断面図
【図２３】同上上面図
【図２４】本発明の実施例２３の横断面図
【発明を実施するための形態】
【０００７】
以下、図面を参照して本発明の実施例を詳細に説明する。
図１は本発明の実施例１を示す図である。図において、１はゼーベック効果の半導体をセラミック板では挟んだ板状ものや、有機体で加熱により発電するものでフレキシブルなものを含む（以降熱電素子と記す）、２は熱電素子から発生する電気を他の場所に送電するケーブル、３は人の手にはめた４の拇指、５の人差し指、６の腕を含む手袋である。手袋３は熱電素子１を人の掌の内側又は背に保持すために用いる。
【０００８】
このように構成された図において、人の手は約３６．５度の温度に保たれている。そこで、人の手に取り付けられている熱電素子１は、外気と手の温度差に基づく電圧を発生する。本発明発明者の実験において、室温２５℃、体温３６．５℃の場合、２６．３mＶ、１．３mＡを得た。室外においては、もっと大きな電力を得る。
【０００９】
図２は本発明の実施例２を示す図である。図１と同一のものは、同一の符号を付して示す。この実施例２は、掌内熱電素子１または、掌背熱電素子１’で発生した電力をスマートフォン電力をスマートフォン７の駆動電圧として用いた場合を示している。熱電素子１で発生した電圧はケーブル２を介して手の甲側に設けられたスマートフォン７を駆動する。
スマートフォン７は、スマートフォン支持ケース９に取り付けられている。該スマートフォン支持ケース９は、手袋３との間の縫い合わせ１０により手袋３に取り付けられている。スマートフォン７は該スマートフォン支持ケース９に装着される。そして、該スマートフォン支持ケース９の一端には電源プラグ８が設けられており、前記ケーブル２はこの電源プラグ８を介してスマートフォン７に電力を供給する。
【００１０】
図３は本発明の実施例３を示す図である。人が鉢巻き１３で熱電素子１を額に取り付けている。１２は頭である。熱電素子１は外気と額の温度差に基づいて電気を発生する。この発生された電力はＤ照明１１に供給される。該ＬＥＤ照明11は、入力された電力に応じて点灯するので、夜間や暗所のヘッドランプとなる。
。風邪とか引いて又は運動で、ＬＥＤ照明は明るくなる。従って、このＬＥＤ照明１１の発光具合により、又はデジタル表示により体温計にもなる。
【００１１】
図４は本発明の実施例４を示す図である。この実施例はヘルメット又は帽子１４の内側に熱電素子を取り付けたものである。１５はヘッドライト、１６はひさしである。ヘッドライト１５としては、図３の場合と同様ＬＥＤを用いることができる。人がこの帽子１４を被ると、熱電素子１は孔５０から外気と帽子１４内の温度差に基づいて電力を発生する。この発生する電力でヘッドライト１５無しでも発光するので、人が作業中長時間発光する。
【００１２】
図5は本発明の実施例5を示す図である。人はパンツ１８をはいている。具体的にはゴム１９で腹１７の周りを取り巻いている。パンツ１８のベルト付近等に熱電素子１が入っている。この熱電素子１は１７の人体の温度に応じて電圧を発生する。発生した電圧はケーブル２を介して外に取り出される。例えば、図に示すようにプラグで外部に取り出され、外部装置のソケット（図示せず）に接続されるようになっている。
【００１３】
図６は本発明の実施例６を示す図である。この実施例は、ベルト２１のバックル２０の中に熱電素子１を取り付けたものである。（Ｂ）はバックル２０の断面図で、
示すように、バックル２０の内側に熱電素子１を取り付けている。２２はＬＥＤライトである。このＬＥＤライト２２は、体温により発光する。従って、夜間歩行に道を照らして安心安全、※な上、ＬＥＤライト２２の発光の度合いに応じて健康度が判るバックル２０バックルを得ることができる。
【００１４】
図７は本発明の実施例７を示す図である。この実施例は、靴に本発明を適用したものである。図は人の足が靴の中に入っている状態を示す。例えば、熱電素子１を靴のかかとの部分に埋め込み、その発生する電力をバッテリー２６に溜めておき、バッテリー２６の出力をケーブル２を介してＬＥＤバックライト２３を駆動し、該バックライト２３やヘッドライト２４を点灯して夜道の凹凸箇所を確認しながら安心に歩行※する。前記バッテリ２６は無くてもよく、また、靴の底に熱電素子１’を取り付けてもよい。
【００１５】
図８は本発明の実施例８を示す図である。この実施例は、人体の胸部にペースメーカー２7と熱電素子１体内に埋め込み駆動するようにしたものである。体温による出力でペースメーカー２７を駆動することができるのであれば、該ペースメーカー２７を駆動するためのバッテリーを交換するための定期的な手術が無くなる画期的発明である。
【００１６】
従来体内での駆動が不可能のため、人工心臓は体外に置くか、又は少なくとも電源を対外に置き、ケーブルで体内と繋ぐがこの※感染して寿命が短かった。熱電素子１を人体に埋め込み、モータ２９を駆動できる本発明は、人類を救う歴史的発明である。
【００１７】
図１０は本発明の実施例１０を示す図である。この実施例は、人工心臓３１に外部から電力を供給するようにしたものである。人体による熱で熱電素子１を働かせ、モータ２９を回転させる。このモータ２９でマグネット３０が回転する。
【００１８】
図１１は本発明第１１実施例で、人体に埋め込まれた人工心臓３１に外部から電力を供給するものである。人体に熱電素子１をつけて、この電力をマイクロ波などで発電コイル３２から発振し、無線の電波が放射される。人体に埋め込まれた人工心臓３１に設けられた誘電コイル（図示せず）でマイクロ波エネルギを受け、これで体内の人口心臓３１を駆動する。
この実施例は、人体で発生した電力で人工心臓を駆動するものであり、半永久的に使用することができる。
【００１９】
図１２は本発明の実施例１２の説明図であり、腕にスマートフォン７を取り付け、ベルト３３で、このスマートフォンの駆動電力をスマートフォン７の内側と腕の外側に付けた熱電素子から駆動するので、ランニング中、電池の取り換えや充電は不要となる。ゼーベック効果板１を取り付け、このゼーベック効果板１で発信器３２を駆動する。発信器３２からは無線の電波が放射される。
【００２０】
人体に埋め込まれた人工心臓３１はこの無線電波をコイルで検出する。検出された無線電波は人工心臓３１内に設けられた誘電コイル（図示せず）で検出される。検出された正弦波は、コイルに誘起された交流を検波整流して直流電圧をつくる。そして、この直流電圧で人工心臓３１を駆動する。この実施例は、人体で発生した電圧で人工心臓を駆動するものであり、半永久的に使用することができる。
【００２１】
図１３は本発明の実施例１３を示す図である。この実施例は、手鏡を示している。３５は鏡で、その先端部にはライト３６が取り付けられている。３７は取っ手である。人はこの取っ手３７を掴んで鏡３５に自分の顔を映す。この場合において、取っ手３７には熱電素子１が付いている。
【００２２】
人が鏡３1を手で持つと、握り３７の内部に内包された熱電素子１が電力を発生する。この発生した電圧により、ライト３６が点灯する。ライト３６が点灯するので、人は暗いところでも自分の顔を鏡３５に映すことができる。
【００２３】
図１４は本発明の実施例１４を示す図である。この実施例は、ドライヤを示している。取っ手（握り）３９には熱電素子１が配置されているので、人が取っ手３９を握ると、人体の温度で、熱電素子１は電力を発生する。
この発生電力はドライヤ本体３８に与えられる。ドライヤ本体３８には図示しないモータとファンと発熱体が設けられており、モータが回転してファンを回転させる。一方、ファンの後方部には発熱体が設けられており、風が発熱体を通過する間に風は暖められ、温風がその出口４５から送風される。この温風を洗髪した頭に当てると、髪が乾くことになる。
【００２４】
図１５は本発明の実施例１５を示す図である。図はシェーバーを示している。本体の握り部には熱電素子１が配置されている。人がこのシェーバーを握ると、シェーバーの温度が上昇し、熱電素子１は電圧を発生する。この発生された電力により、刃部４０が振動し、髭を剃ることができる。なお、刃部は振動式ではなく回転式であってもよい。
【００２５】
図１６は本発明の実施例１６を示す図である。図は懐中電灯を示している。
取っ手４０には熱電素子１が取り付けられており、人が取っ手４２を握ると、熱電素子１が暖められ、それにより発電し、ライト４１を点灯させる。
【００２６】
図１７は本発明の実施例１７を示す図である。図は手持ちファンを示している。ファン本体の一方の端にはモータ４６と該モータ４６により回転させられるファン４７が取り付けられている。一方、取っ手４４のには熱電素子１が取り付けられている。人が取っ手４４を握ると、その内部にある熱電素子１は暖められ、徐々に温度が上昇していき、ゼーベック効果板１は所定の電力を発生する。
この発生した電力でモータ４６を駆動すると、ファン４７が回転して風を発生して手持ち扇風機となる。
【００２７】
図１８は本発明の実施例１８を示す図であり、腰痛等治療用具であり、熱電素子１の出力ワイヤ２を本体１の両側に直角に出しておく。
図１９はこれを腰等痛い部分４９に貼った断面図で、出力端子２が人体２９に食い込んでおり、熱電素子１の人体４９に接している部分が熱せられるので、ゼーベック効果により発電し、出力は出力端子２から人体２９に通電５０され、これにより痛みや症状が改善される。実施例１８の発明は絆創膏等に代わる画期的な治療具の発明で、しかも電池もなく、永久に効果が持続する。
【００２８】
図２０は本発明の２０番目の実施例で、図１９の出力端子１を効果的にしたものであり、熱電素子１の肌に当てる側の片面両側に良導体の電極４８を設け、ここに熱電素子１の出力２を結合したものである。
【００２９】
図２１は本発明を人体に付けた断面図で、その作用効果は図１９で説明したことと同様であるが、その第２１実施例の場合、図２１の如く熱電素子１を肌色キャリア５２に肌を傷めないメディカル接着剤５１をコーティングしたテープで腰等着部４９に貼り付け、肌４９に熱電素子１を密着させ、発電出力が最大となり、且つ出力電極４８が幅広く大きく肌４９に密着するので、体内に流れる電流５０は最大となり、最高の効力を得ることができる。
【００３０】
図２２は本発明の２２番目の実施例で、無電源超小型パルスオキシレータである。５７はその上部体、５７'はその下部体である。５４が発光部、５５が受光部、５３が酸素、脈拍等表示部、５６は本体上部体５７と下部体５７’接合する開閉のヒンジである。
ヒンジ５６を中心を開け、指５を挿入し、爪５８を通して測定するが、この時、指５の温度で熱電素子１が発電し、ケーブル２を通して発光部５４や受光部５５、ディスプレイ５３を作動させる。
【００３１】
公知のものは電源を必要とするので、バッテリーを内蔵すれば装置が大きくなるし、また外部電源を必要として、使用上不便である。本発明により、セルフコンラインの超小型軽量のパルスオキシメータを得ることができる。
図２３は図２２を上から見た図である。
図２４は本発明の第２３実施例を示し、指５の上下を二枚の熱電素子１，１'で挟み、指の挿入で発電させ、１は発光部５４とディスプレイ部５３を駆動し、１'部は受光部５５をそれぞれ駆動させるので、ヒンジ５６を上体部５７、下体部５７’の、それぞれ別体のものを結線することが不要となり、コストダウンと故障が無くなると同時に、熱電素子からの電力２５倍になるメリットがある。
【００３２】
上記の他、有機熱電素子などフレキシブルなものを使用して、肌着，シャツ，靴下など服飾商品に直接分割して取り付けて発電することもでき、これらも本発明に含まれるものである。
人体の発生する熱以外に動物の発生する熱を利用して※各種の動作を行わせることも本発明に含まれる。その他の各種変形や応用も本発明に含まれるものである。
【産業上の利用可能性】
【００３３】
電力や電池のない処や、従来の電力では不適応な処で、電力を得られ且つ長時間電力が持続するので、多方向の産業で利用できる。
【符号の説明】
【００３４】
1      熱電素子
１’    熱電素子
２      熱電素子からのケーブル
２’    熱電素子からのケーブル
３      手袋
４      拇指
５      人指し指
６      手首
７      スマートフォン
８      スマートフォン電源プラグ
９      スマートフォン支持ケース
１０    手袋とケースの縫い合わせ
１１    ＬＥＤ照明
１２    頭
１３    鉢巻
１４    帽子
１５    ヘッドライト
１６    ひさし
１７    人体の腹
１８    パンツ
１９    ゴム
２０    バックル
２１    ベルト
２２    ＬＥＤライト
２３    ＬＥＤバックライト
２４    ＬＥＤライト
２５    人の足
２６    バッテリー
２７    ペースメーカ
２８    人工心臓
２９    人工心臓ポンプモータ
３１    人工心臓
３２    発電コイル
３３    腕ベルト
３４    スマートフォン支持ケース
３５    鏡
３６    ライト
３７    取っ手
３８    ドライヤ本体
３９    握り
４０    刃
４２  取っ手
４３  取っ手
４４    手持ち扇風機
４５    出口
４６  モータ
４７  ファン
４８  アルミ/銅箔等電極
４９  背中等体部
５０  体内に流れる治療電流
５１  肌を傷めない加圧性接着剤
５２  熱電素子を皮膚に止めるテープ
５３  パルスオキシメータのディスプレイ
５４  パルスオキシメータの発光部
５５  パルスオキシメータの受光部
５６  装置下部を結合する開閉のヒンジ
５７  パルスオキシメータの本体上部
５７’  パルスオキシメータの本体下部
５８  被験者の爪
【図１】
2014176178.tif 000003
【図２】
2014176178.tif 000004
【図３】
2014176178.tif 000005
【図４】
2014176178.tif 000006
【図５】
2014176178.tif 000007
【図６】
2014176178.tif 000008
【図７】
2014176178.tif 000009
【図８】
2014176178.tif 000010
【図９】
2014176178.tif 000011
【図１０】
2014176178.tif 000012
【図１１】
2014176178.tif 000013
【図１２】
2014176178.tif 000014
【図１３】
2014176178.tif 000015
【図１４】
2014176178.tif 000016
【図１５】
2014176178.tif 000017
【図１６】
2014176178.tif 000018
【図１７】
2014176178.tif 000019
【図１８】
2014176178.tif 000020
【図１９】
2014176178.tif 000021
【図２０】
2014176178.tif 000022
【図２１】
2014176178.tif 000023
【図２２】
2014176178.tif 000024
【図２３】
2014176178.tif 000025
【図２４】
2014176178.tif 000026
【手続補正書】
【提出日】平成26年5月21日(2014.5.21)
【手続補正１】
【補正対象書類名】特許請求の範囲
【補正対象項目名】請求項１
【補正方法】変更
【補正の内容】
【請求項１】
人体等の生物の熱を利用して熱電素子で発電せしめ、この熱電素子を人体の各部に取りつけ又は人体の各部と接触させて用いることを特徴とする人等生物エネルギ装置。